(57)【要約】【課題】電波障害環境にあっても、待ち受けチャネル決定までの時間を短縮することができる移動電話機を提供する。【解決手段】ＲＳＳＩレベル順止まり木チャネルテーブル１０９から選択した止まり木チャネルに対し、通信が開設できなかった場合、そのチャネル番号を障害チャネルテーブル１１０に保持する。通信を開設する前に、ＲＳＳＩレベル順止まり木チャネルテーブル１０９から選択された止まり木チャネルの番号と、障害チャネルテーブル１１０に保持された障害チャネルの番号とを比較し、選択された止まり木チャネルが障害のでる可能性のあるチャネルと判断された場合、障害チャネルテーブル１１０に存在しないチャネルを、ＲＳＳＩレベル順止まり木チャネルテーブル１０９から選択し、通信の開設を行う。【選択図】        図１
2004187079.tif 000002
【特許請求の範囲】
【請求項１】
移動局と基地局の間で無線通信を行う移動電話システムで、各止まり木チャネルの受信レベルを測定し、規定の受信レベル以上の止まり木チャネルを受信レベルの強度順に並べた強度順止まり木チャネルテーブルを作成する止まり木チャネルスキャン制御手段と、該強度順止まり木チャネルテーブルから選択した止まり木チャネルに対し、通信を開設する待ち受けチャネル選択制御手段とを具備する移動電話機において、該移動電話機は、該待ち受けチャネル選択制御手段にて、通信が開設できなかった場合、通信が開設できなかった止まり木チャネルのチャネル番号を保持する障害チャネルテーブルを作成する障害チャネルテーブル作成手段と、前記強度順止まり木チャネルテーブルから選択された止まり木チャネルのチャネル番号と、前記障害チャネルテーブルに保持された障害チャネル番号とを比較して、比較した止まり木チャネルが障害のでる可能性のあるチャネルかどうかを判断する障害チャネル判断手段と、前記強度順止まり木チャネルテーブルの止まり木チャネルの内で、前記障害チャネルテーブルに存在する止まり木チャネルが、前記障害チャネル判断手段にて障害チャネルの可能性があると判断された場合、前記障害チャネルテーブルに存在しないチャネル番号の止まり木チャネルを、前記強度順止まり木チャネルテーブルから選択し、通信の開設を行う前記待ち受けチャネル選択制御手段とを具備することを特徴とする移動電話機。
【請求項２】
移動局と基地局の間で無線通信を行う移動電話システムで、各止まり木チャネルの受信レベルを測定し、規定の受信レベル以上の止まり木チャネルを受信レベルの強度順に並べた強度順止まり木チャネルテーブルを作成する止まり木チャネルスキャン制御手段と、該強度順止まり木チャネルテーブルから選択した止まり木チャネルに対し、通信を開設する待ち受けチャネル選択制御手段とを具備する移動電話機において、該移動電話機は、該待ち受けチャネル選択制御手段にて、通信が開設できなかった場合、通信が開設できなかった止まり木チャネルのチャネル番号と、前記強度順止まり木チャネルテーブル内の最大の受信レベルに対する該止まり木チャネルの受信レベル比とを保持する障害チャネルテーブルを作成する障害チャネルテーブル作成手段と、前記強度順止まり木チャネルテーブルから選択された止まり木チャネルのチャネル番号及び受信レベル比と、前記障害チャネルテーブルに保持された障害チャネル番号及び受信レベル比とを比較して、比較した止まり木チャネルが障害のでる可能性のあるチャネルかどうかを判断する障害チャネル判断手段と、前記強度順止まり木チャネルテーブルの止まり木チャネルの内で、前記障害チャネルテーブルに存在する止まり木チャネルが、前記障害チャネル判断手段にて障害チャネルの可能性があると判断された場合、前記障害チャネルテーブルに存在しないチャネル番号の止まり木チャネルを、前記強度順止まり木チャネルテーブルから選択し、通信の開設を行う前記待ち受けチャネル選択制御手段とを具備することを特徴とする移動電話機。
【請求項３】
前記移動電話機は、前記強度順止まり木チャネルテーブルの最大の受信レベルの止まり木チャネルで通信の開設に失敗した場合、作成済みの障害チャネルテーブルの内で、開設に失敗した止まり木チャネルのチャネル番号を、最大の受信レベルの止まり木チャネルとして保持する障害チャネルテーブルが存在しない場合は、開設に失敗した止まり木チャネルのチャネル番号及び該止まり木チャネルの受信レベルを、新たに作成した障害チャネルテーブルに保持し、２番目以降の受信レベルの止まり木チャネルで通信の開設に失敗した場合は、該障害チャネルテーブルに、開設に失敗した２番目以降の受信レベルの止まり木チャネルのチャネル番号及び受信レベル比を保持する前記障害チャネルテーブル作成手段と、通信の開設を行なう際に、前記強度順止まり木チャネルテーブルの内の最大の受信レベルの止まり木チャネルのチャネル番号が、各障害チャネルテーブルの最大の受信レベルの止まり木チャネルの内のどれかと一致した時に、前記強度順止まり木チャネルテーブルの２番目以降の受信レベルの止まり木チャネルの内で、一致した前記障害チャネルテーブルに存在する止まり木チャネルについて、チャネル番号と受信レベル比とを比較し、比較した止まり木チャネルが、前記障害チャネル判断手段にて、障害チャネルの可能性があると判断された場合、前記強度順止まり木チャネルテーブルの内の止まり木チャネルであって、一致した前記障害チャネルテーブルに存在しない止まり木チャネルにて、通信の開設を行なう前記待ち受けチャネル選択制御手段とを具備することを特徴とする請求項２に記載の移動電話機。
【発明の詳細な説明】
【０００１】
【発明の属する技術分野】
本発明は、移動電話機に関し、より詳細には、通信を開設する際の障害履歴を利用して、電波障害環境下でも短時間で待ち受けチャネルの捕捉を可能とした移動電話機に関する。
【０００２】
【従来の技術】
移動電話機（以下「移動局」と記す）での一般的な移動通信システムにおいては、複数の基地局が設置されており、それぞれの基地局は、各無線ゾーン毎に、通信相手からの着信や基地局からの情報を提供するための制御用物理チャネル（以下、「止まり木チャネル」ともいう）を送信している。一方の移動局は、電源が投入された時、どの基地局配下にいるか分からないため、予め決められた複数の制御用物理チャネルの受信レベルを測定し、受信レベルが予め定められたしきい値を越える制御用物理チャネルを検出した時、その制御用物理チャネルとチャネルを開設し、待ち受け状態となる。
【０００３】
移動局は、この制御用物理チャネルで発信や着信を待つ待ち受け状態で待機し、音声通信やパケット通信時には、制御用物理チャネルから音声通信に使用される通信用物理チャネル、あるいは、パケット通信を行うためのパケット通信用物理チャネルへ切り替えて通信を行い、通信が終了すると、再び制御用物理チャネルでの待ち受け状態へ戻る。
【０００４】
移動局は、待ち受け状態で使用する使用可能な制御用物理チャネルを探し出すために、止まり木チャネルスキャン処理及び待ち受けチャネル選択処理を行う。止まり木チャネルスキャン処理は、基地局からの情報を受け取るために予め決められたいくつかの制御用物理チャネルの受信レベルを測定し、使用可能な受信レベル以上の受信レベルのチャネルを選択する。待ち受けチャネル選択処理では、この止まり木チャネルスキャン処理によって選択された止まり木チャネルに対し、チャネル開設を行うため、基地局からの待ち受け状態で使用する制御用物理チャネルの情報を取得して、制御用物理チャネルの開設を行う。
【０００５】
図７は、従来例の移動局の構成図であり、止まり木チャネルスキャン処理及び待ち受けチャネル選択処理を説明するための図である。止まり木チャネルスキャン制御部１０１は、止まり木チャネルのスキャン処理を行なう制御部であり、止まり木チャネル情報を格納する領域である止まり木チャネル格納部１０８に格納される止まり木チャネルの受信レベルを、ＲＳＳＩ（Ｒｅｃｅｉｖｅｄ  Ｓｉｇｎａｌ  Ｓｔｒｅｎｇｔｈ  Ｉｎｄｉｃａｔｏｒ＝受信レベル）測定部１１１で測定し、使用可能な受信レベル以上の受信レベルの止まり木チャネルを、ＲＳＳＩレベル順止まり木チャネルテーブル１０９に格納するように動作する。このＲＳＳＩレベル順止まり木チャネルテーブル１０９は、止まり木チャネルスキャン制御部１０１によって選択された止まり木チャネルと、ＲＳＳＩ測定部１１１で測定された受信レベルとを対応させ、受信レベルの高い順にソートしたテーブルである。
【０００６】
待ち受けチャネル選択制御部１０２は、待ち受けチャネル選択処理を行なう制御部であり、ＲＳＳＩレベル順止まり木チャネルテーブル１０９に格納されている止まり木チャネルに対して、順次その止まり木チャネルと通信の開設を試み、待ち受け状態に移行するための基地局からの情報の受信を行う。処理が成功した場合には、待ち受け状態制御部１０３を起動し、処理すべき止まり木チャネルがなくなり、すべての処理が失敗した場合には、止まり木チャネルスキャン制御部１０１を起動するように動作する。また、待ち受けチャネル選択制御部１０２は、他の制御部である待ち受け状態制御部１０３、音声通信制御部１０４、パケット通信制御部１０５より指示された止まり木チャネルに対しても、チャネルを開設する。
【０００７】
待ち受け状態制御部１０３は、待ち受け中の無線制御を行なうものであり、音声通信制御部１０４は、通信用物理チャネルを用いた通信の無線制御を行ない、パケット通信制御部１０５は、パケット用物理チャネルを用いた通信の無線制御を行なうものである。
【０００８】
このように構成された移動局の動作を以下に説明する。電源オン時には、止まり木チャネルスキャン制御部１０１が、止まり木チャネルのスキャンを実行した後、待ち受けチャネル選択制御部１０２は、チャネルの開設処理を実行し、待ち受け状態に遷移する。また、待ち受け状態制御部１０３での待ち受け状態にてゾーン移行した場合には、基地局から周辺の止まり木チャネルが通知されるので、その止まり木チャネルの内で最も受信レベルの高いチャネルに対して待ち受けチャネル選択制御部１０２が起動される。さらに、音声通信制御部１０４にて通信が終了した場合は、基地局から待ち受け状態に移行するための止まり木チャネルが通知されているので、その止まり木チャネルに対して待ち受けチャネル選択制御部１０２が起動される。同様に、パケット通信制御部１０５にて通信が終了した場合も、待ち受け状態に移行するための止まり木チャネルが通知されているので、その止まり木チャネルに対して待ち受けチャネル選択制御部１０２が起動される。
【０００９】
図７に示した従来例では、止まり木チャネルスキャン制御部１０１において、受信レベルを検出する際、電波の干渉等の理由により一時的に高い受信レベルを検出した場合、待ち受けチャネル選択処理を実行する時点で受信レベルが低くなっている場合が存在するため、待ち受けチャネル選択処理を失敗する可能性がある。また、音声通信又はパケット通信において、通信異常や受信レベルの低い状態で通信が終了した場合、通信終了後、待ち受けチャネル選択処理を実行する時点で、基地局から通知された止まり木チャネルが使用不可能な場合が存在するため、待ち受けチャネル選択処理を失敗する可能性がある。
【００１０】
図８は、他の従来例の移動局の構成図であり、これらの問題を解決しようとした止まり木チャネルスキャン処理及び待ち受けチャネル選択処理を説明するための図である。止まり木チャネルスキャン制御部１０１は、図７の従来例と同様の止まり木チャネルスキャン処理を行なった後、図７には無かった統計情報制御部８０１を起動する。この統計情報制御部８０１は、待ち受けチャネル選択処理を実行する際に、使用頻度統計情報格納部８０２に格納された過去の止まり木チャネルの使用率を基に、止まり木チャネルスキャンで検出した受信レベルを補正し、ＲＳＳＩレベル順止まり木チャネルテーブル１０９を、補正した受信レベルの順になるように書き替える機能、及び、補正した受信レベルの順に書き替えられたＲＳＳＩレベル順止まり木チャネルテーブル１０９を用いて、過去の使用率の高い止まり木チャネルの優先度をあげて選択して待ち受けチャネル選択処理を実行する機能を有する制御部である。
【００１１】
待ち受け状態制御部１０３は、図７の従来例と同様の待ち受け状態時の処理に加えて、現在使用している止まり木チャネルの使用率を算出して、算出された止まり木チャネルの使用頻度情報を使用頻度統計情報格納部８０２に記憶する機能を有する制御部である。
【００１２】
このように、図８の従来例は、待ち受けチャネル選択処理の際、受信レベルが高く、かつ、止まり木チャネル使用率の高い止まり木チャネルから選択することによりチャネル選択処理の失敗を減らし、待ち受け状態に移行するまでに要する時間を短縮している（例えば、特許文献１参照）。
【００１３】
【特許文献１】
特開２００１−７８２５７号公報（第２−５頁、第２図）
【００１４】
【発明が解決しようとする課題】
しかし、移動局が用いられる環境には、多くの電波障害の存在する環境があり、例えば、パソコンの近傍では、パソコンからの電磁波の不要輻射が大きい。特にパソコンの動作周波数が高くなるに連れて、パソコンから発せられる電磁波の不要輻射は、移動局と基地局間で用いられる帯域に障害を及ぼす。また、近年多くのところで用いられているＲＦ（Ｒａｄｉｏ  Ｆｒｅｑｕｅｎｃｙ）タグや非接触ＩＣカード用リーダも、移動局と基地局間で用いられる帯域に障害を及ぼす電磁波の不要輻射を発している。
【００１５】
図８の従来例では、電波の干渉等の理由により一時的に受信レベルが高く検出される場合等には、有効な手段であるが、上述したような電波障害環境下での不要輻射の周波数が、電波障害のない環境下で移動局として使用頻度の高い周波数である場合、チャネル選択までの処理時間の短縮はできない。また、このような電波障害環境下での不要輻射の周波数は、その環境別に、ある程度限定できるものであるが、それらの周波数が、電波障害のない環境下の移動局で使用頻度の高い周波数に偶然一致してしまった場合は、チャネル選択までの処理時間がよりかかってしまうだけでなく、チャネル選択もできないという事態に陥る可能性があるという問題があった。
【００１６】
本発明は、このような問題を鑑みてなされたものであり、電波障害環境下でも待ち受けチャネルを決定するまでの処理時間を短くしうる移動電話機を提供することを目的としている。
【００１７】
【課題を解決するための手段】
本発明は、移動局と基地局の間で無線通信を行う移動電話システムで、各止まり木チャネルの受信レベルを測定し、規定の受信レベル以上の止まり木チャネルを受信レベルの強度順に並べた強度順止まり木チャネルテーブルを作成する止まり木チャネルスキャン制御手段と、該強度順止まり木チャネルテーブルから選択した止まり木チャネルに対し、通信を開設する待ち受けチャネル選択制御手段とを具備する移動電話機において、該移動電話機は、該待ち受けチャネル選択制御手段にて、通信が開設できなかった場合、通信が開設できなかった止まり木チャネルのチャネル番号を保持する障害チャネルテーブルを作成する障害チャネルテーブル作成手段と、前記強度順止まり木チャネルテーブルから選択された止まり木チャネルのチャネル番号と、前記障害チャネルテーブルに保持された障害チャネル番号とを比較して、比較した止まり木チャネルが障害のでる可能性のあるチャネルかどうかを判断する障害チャネル判断手段と、前記強度順止まり木チャネルテーブルの止まり木チャネルの内で、前記障害チャネルテーブルに存在する止まり木チャネルが、前記障害チャネル判断手段にて障害チャネルの可能性があると判断された場合、前記障害チャネルテーブルに存在しないチャネル番号の止まり木チャネルを、前記強度順止まり木チャネルテーブルから選択し、通信の開設を行う前記待ち受けチャネル選択制御手段とを具備することを特徴とする。
【００１８】
また、移動局と基地局の間で無線通信を行う移動電話システムで、各止まり木チャネルの受信レベルを測定し、規定の受信レベル以上の止まり木チャネルを受信レベルの強度順に並べた強度順止まり木チャネルテーブルを作成する止まり木チャネルスキャン制御手段と、該強度順止まり木チャネルテーブルから選択した止まり木チャネルに対し、通信を開設する待ち受けチャネル選択制御手段とを具備する移動電話機において、該移動電話機は、該待ち受けチャネル選択制御手段にて、通信が開設できなかった場合、通信が開設できなかった止まり木チャネルのチャネル番号と、前記強度順止まり木チャネルテーブル内の最大の受信レベルに対する該止まり木チャネルの受信レベル比とを保持する障害チャネルテーブルを作成する障害チャネルテーブル作成手段と、前記強度順止まり木チャネルテーブルから選択された止まり木チャネルのチャネル番号及び受信レベル比と、前記障害チャネルテーブルに保持された障害チャネル番号及び受信レベル比とを比較して、比較した止まり木チャネルが障害のでる可能性のあるチャネルかどうかを判断する障害チャネル判断手段と、前記強度順止まり木チャネルテーブルの止まり木チャネルの内で、前記障害チャネルテーブルに存在する止まり木チャネルが、前記障害チャネル判断手段にて障害チャネルの可能性があると判断された場合、前記障害チャネルテーブルに存在しないチャネル番号の止まり木チャネルを、前記強度順止まり木チャネルテーブルから選択し、通信の開設を行う前記待ち受けチャネル選択制御手段とを具備することを特徴とする。
【００１９】
また、前記移動電話機は、前記強度順止まり木チャネルテーブルの最大の受信レベルの止まり木チャネルで通信の開設に失敗した場合、作成済みの障害チャネルテーブルの内で、開設に失敗した止まり木チャネルのチャネル番号を、最大の受信レベルの止まり木チャネルとして保持する障害チャネルテーブルが存在しない場合は、開設に失敗した止まり木チャネルのチャネル番号及び該止まり木チャネルの受信レベルを、新たに作成した障害チャネルテーブルに保持し、２番目以降の受信レベルの止まり木チャネルで通信の開設に失敗した場合は、該障害チャネルテーブルに、開設に失敗した２番目以降の受信レベルの止まり木チャネルのチャネル番号及び受信レベル比を保持する前記障害チャネルテーブル作成手段と、通信の開設を行なう際に、前記強度順止まり木チャネルテーブルの内の最大の受信レベルの止まり木チャネルのチャネル番号が、各障害チャネルテーブルの最大の受信レベルの止まり木チャネルの内のどれかと一致した時に、前記強度順止まり木チャネルテーブルの２番目以降の受信レベルの止まり木チャネルの内で、一致した前記障害チャネルテーブルに存在する止まり木チャネルについて、チャネル番号と受信レベル比とを比較し、比較した止まり木チャネルが、前記障害チャネル判断手段にて、障害チャネルの可能性があると判断された場合、前記強度順止まり木チャネルテーブルの内の止まり木チャネルであって、一致した前記障害チャネルテーブルに存在しない止まり木チャネルにて、通信の開設を行なう前記待ち受けチャネル選択制御手段とを具備することを特徴とする。
【００２０】
【発明の実施の形態】
図１は、本発明に係る移動局の実施例の構成図であり、本発明の特徴は、障害チャネル判断部１０６、障害チャネルテーブル作成部１０７、及び、障害チャネルテーブル１１０を有していることにある。障害チャネル判断部１０６は、待ち受けチャネルを開設するために用いるチャネルが、開設処理に失敗する可能性の高いチャネルか否かを判別する制御部であり、障害チャネルテーブル作成部１０７は、待ち受けチャネルの開設処理に失敗する可能性の高いチャネルを、電波障害環境ごとに分類した障害チャネルテーブルを作成する制御部であり、障害チャネルテーブル１１０は、電波障害環境とみなした状態別に、そして、障害の発生したチャネルを受信レベル順に保持したテーブルである。
【００２１】
図２は、障害チャネルテーブル１１０の作成手順を示すフローチャートであり、図１の構成図での詳細な動作を説明するためのフローチャートである。待ち受けチャネル選択処理では、止まり木チャネルスキャン制御部１０１にて、止まり木チャネルのスキャンが行なわれ（ステップＳ１）、ＲＳＳＩレベルの高い順にチャネルがソートされ、ＲＳＳＩレベル順止まり木チャネルテーブル１０９に保持される（ステップＳ２）。待ち受けチャネル選択制御部１０２は、最大のＲＳＳＩレベル（受信レベル）のチャネルを選択し（ステップＳ３）、チャネル開設処理を行う（ステップＳ４）。ＲＳＳＩレベル順止まり木チャネルテーブル１０９の中で最大のＲＳＳＩレベルのチャネルで、開設処理が行えた場合は、そのチャネルでは障害が起きず正常に通信が開設されたので、障害テーブルの作成あるいは更新は行われないで終了する（ステップＳ５）。
【００２２】
最大のＲＳＳＩレベルのチャネルで通信が開設できなかった場合、障害チャネル判断部１０６は、そのチャネルは何らかの電波障害が発生していると判断し、障害チャネルテーブル作成部１０７は、障害チャネルテーブルの作成を行う前に、すでに障害チャネルテーブルが作成されているかどうか判断する（ステップＳ６）。障害チャネルテーブルがまだ１つも作成されていない状態、例えば、移動局がはじめて使用される状態などでは、障害チャネルテーブルが新規に作成される。新規に作成される時は、テーブル番号と共に、上記の障害のあった最大のＲＳＳＩレベルのチャネル番号をレベル最大チャネル番号として保存し、さらに、最大のＲＳＳＩレベルを保存する（ステップＳ７）。すでに障害チャネルテーブルが作成されている場合は、ステップＳ８に進む。
【００２３】
続いて、２番目にＲＳＳＩレベルの大きいチャネルを選択し（ステップＳ８）、そのチャネルについて、通信の開設処理を行い（ステップＳ９）、開設処理が成功した場合は、障害チャネルテーブルの更新を停止して終了し（ステップＳ１０）、この後、開設処理の成功したチャネルにより待ち受け状態に移行する。一方、通信の開設処理に失敗した場合は、このチャネルも何らかの電波障害が発生していると判断し、前記障害チャネルテーブルにそのチャネル番号を追加する。加えて、前記障害チャネルテーブルに保存されている最大のＲＳＳＩレベルのチャネルのＲＳＳＩレベルを読み出し、読み出した最大のＲＳＳＩレベルに対する２番目のチャネルのＲＳＳＩレベルの比率を算出し、その比率をテーブルに保存する（ステップＳ１１）。
【００２４】
さらに、次の止まり木チャネルの候補があるかないか判断し、候補があればステップＳ８に戻り、候補がなければ終了する（ステップＳ１２）。３番目以降のＲＳＳＩレベルのチャネルについても、２番目のＲＳＳＩレベルのチャネルの場合と同様に、通信の開設処理を行い、チャネルの開設に失敗したチャネルを障害のあるチャネルと判断し、障害のあったすべてのチャネルを、そのチャネル番号、及び、障害のあったチャネルのＲＳＳＩレベルの最大のＲＳＳＩレベルに対する比率を保存し、障害チャネルテーブルを更新する。
【００２５】
また、別の環境下でチャネル開設処理を行い、開設処理を失敗した最大のＲＳＳＩレベルのチャネル番号が、作成済みの障害チャネルテーブルに存在しなかった場合は、新たなテーブル番号を付与した新たな障害チャネルテーブルを作成する。開設処理を失敗した最大のＲＳＳＩレベルのチャネル番号が、作成済みの障害チャネルテーブルに存在する場合は、２番目のＲＳＳＩレベルのチャネル開設処理にて、現在の環境がその障害チャネルテーブルと同様の環境か否かを判断し、違う場合には新たな障害チャネルテーブルの作成を行う。
【００２６】
図３は、ある電波障害環境下での各チャネルでの雑音の受信レベル（ＲＳＳＩ＝Ｒｅｃｅｉｖｅｄ  Ｓｉｇｎａｌ  Ｓｔｒｅｎｇｔｈ  Ｉｎｄｉｃａｔｏｒ）を示す図である。図３のように移動電話機が使用する各チャネルに対して、相当強い雑音を発生している環境があり、５８４チャネルで一番大きなＲＳＳＩレベルを示している。
【００２７】
図４は、障害チャネルテーブルの例を示す図であり、図３の環境下での障害チャネルテーブルについてのチャネル番号とＲＳＳＩレベル比が示されている。例えば、チャネル番号が、「５８４」、「５５０」のＲＳＳＩレベル比は、それぞれ、「１．００」、「０．５７」であり、「５８４」チャネルが、レベル最大チャネル番号であることがわかる。この図には、示していないが、障害チャネルテーブルは、最大のＲＳＳＩレベルも保持している。
【００２８】
図５は、障害チャネルテーブルを用いて通信の開設処理の短縮化を図る手順の実施例を示すフォローチャートであり、既に障害チャネルテーブルが作成されている場合の詳細な動作を説明するためのフローチャートである。待ち受けチャネル選択処理では、止まり木チャネルスキャン制御部１０１にて止まり木チャネルのスキャンが行なわれ（ステップＳ２０）、ＲＳＳＩレベルの高い順に止まり木チャネルがソートされ、ソートされた止まり木チャネルがＲＳＳＩレベル順止まり木チャネルテーブル１０９に保持される（ステップＳ２１）。ＲＳＳＩレベル順止まり木チャネルテーブル１０９から最大のＲＳＳＩレベルの止まり木チャネルを選択し（ステップＳ２２）、障害チャネルテーブルのレベル最大チャネル番号を参照し（ステップＳ２３）、選択された最大のＲＳＳＩレベルの止まり木チャネルの番号が、障害チャネルテーブルのレベル最大チャネル番号に存在するか否かを判別する（ステップＳ２４）。障害チャネルテーブルに存在しない場合は、最大のＲＳＳＩレベルの止まり木チャネルは、正常に開設できると判断し、開設処理に移行するため終了する。
【００２９】
最大のＲＳＳＩレベルの止まり木チャネルが障害チャネルテーブルに存在する場合は、電波障害環境下の可能性があると判断し、当該最大のＲＳＳＩレベルの止まり木チャネルが存在する障害チャネルテーブルに、２番目以降のＲＳＳＩレベルのチャネル番号が存在するか否かを判別する（ステップＳ２５、ステップＳ２６）。２番目以降のＲＳＳＩレベルのチャネル番号が、当該障害チャネルテーブルに存在しない場合は、電波障害環境下ではないと判断し、最大のＲＳＳＩの止まり木チャネルにて、開設処理を行うため終了する。２番目以降のＲＳＳＩレベルのチャネル番号が、当該障害チャネルテーブルに存在する場合は、電波障害環境下であると判断し（ステップＳ２７）、ＲＳＳＩレベル順止まり木チャネルテーブル１０９に保持されたチャネル番号と当該障害チャネルテーブルのチャネル番号を比較し（ステップＳ２８）、当該障害チャネルテーブルに存在しないチャネル番号を、ＲＳＳＩレベル順止まり木チャネルテーブル１０９から選択して（ステップＳ２９）、開設処理を行う（ステップＳ３０）。
【００３０】
図３に示したような電波障害のある環境で障害が発生するチャネルは、その環境でほぼ同一であり、ＲＳＳＩレベル順止まり木チャネルと障害チャネルテーブルを比較するだけで、各チャネルの開設処理を繰り返すことなく、短時間で通信の開設を行うことができる。
【００３１】
図６は、障害チャネルテーブルを用いて通信の開設処理の短縮化を図る手順の他の実施例を示すフローチャートであり、既に障害チャネルテーブルが作成されている場合の詳細な動作を説明するためのフローチャートである。図５の実施例では、障害チャネルテーブルとの比較をチャネル番号のみを用いて行っているが、図６の実施例では、ＲＳＳＩレベル（受信レベル）の比率も用いて、より電波障害環境を推定する精度を高めている。
【００３２】
待ち受けチャネル選択処理では、図５の実施例と同様に、止まり木チャネルスキャン制御部１０１にて止まり木チャネルのスキャンが行なわれ（ステップＳ４０）、ＲＳＳＩレベルの高い順に止まり木チャネルがソートされ、ソートされた止まり木チャネルがＲＳＳＩレベル順止まり木チャネルテーブル１０９に保持される（ステップＳ４１）。ＲＳＳＩレベル順止まり木チャネルテーブル１０９から最大のＲＳＳＩレベルの止まり木チャネルを選択し（ステップＳ４２）、障害チャネルテーブルのレベル最大チャネル番号を参照し（ステップＳ４３）、選択された最大のＲＳＳＩレベルの止まり木チャネルの番号が、障害チャネルテーブルのレベル最大チャネル番号に存在するか否かを判別する（ステップＳ４４）。障害チャネルテーブルに存在しない場合は、最大のＲＳＳＩレベルの止まり木チャネルは、正常に開設できると判断し、開設処理に移行するため終了する。
【００３３】
最大のＲＳＳＩレベルの止まり木チャネルが障害チャネルテーブルに存在する場合は、電波障害環境下の可能性があると判断し、最大のＲＳＳＩレベルを保存し（ステップＳ４５）、その最大のＲＳＳＩレベルのチャネルが存在する障害チャネルテーブルに、２番目以降のＲＳＳＩレベルのチャネルの番号が存在するか判別する（ステップＳ４６）。２番目以降のＲＳＳＩレベルのチャネルの番号が、当該障害チャネルテーブルに存在しない場合は（ステップＳ４７）、電波障害環境下でないと判断し、最大のＲＳＳＩレベルのチャネルで、開設処理に移行するため終了する。２番目以降のＲＳＳＩレベルのチャネルの番号が、当該障害チャネルテーブルに存在する場合は、２番目以降のＲＳＳＩレベルのチャネルのＲＳＳＩレベルについて、保存しておいた最大のＲＳＳＩレベルに対する比率を算出する（ステップＳ４８）。このＲＳＳＩレベル比は、判定のために所定の許容範囲を持っている。２番目以降のＲＳＳＩレベルのチャネルのＲＳＳＩレベル比が、障害チャネルテーブルの対応するＲＳＳＩレベル比と一致するかどうか判断する（ステップＳ４９）。ＲＳＳＩＩレベル比が異なる場合は、電波障害環境下でないと判断し、最大のＲＳＳＩレベルのチャネルにて開設処理を行うため終了する。
【００３４】
２番目以降のチャネル番号のＲＳＳＩレベル比が、障害チャネルテーブルの対応するＲＳＳＩレベル比と一致した場合、電波障害環境下であると判断し（ステップＳ５０）、ＲＳＳＩレベル順止まり木チャネルテーブル１０９に保持されたチャネル番号と当該障害チャネルテーブルのチャネル番号を比較し（ステップＳ５１）、当該障害チャネルテーブルに存在しないチャネル番号をＲＳＳＩレベル順止まり木チャネルテーブル１０９から選択して（ステップＳ５２）、開設処理を行う（ステップＳ５３）。
【００３５】
これは、先に図３で説明したように、電波障害環境は、特定チャネルでほぼ一定の比率のＲＳＳＩレベルの雑音が発生しているので、ＲＳＳＩレベル比が電波障害環境のＲＳＳＩレベル比とまったく異なる場合は、電波障害環境でないと推定できるためである。
【００３６】
なお、図５及び図６において、最大のＲＳＳＩレベルの止まり木チャネルが障害チャネルテーブルに存在して、電波障害環境下の可能性があると判断した場合に、その最大のＲＳＳＩレベルのチャネルが存在する障害チャネルテーブルに、２番目以降のＲＳＳＩレベルのチャネルの番号がすべて存在するかどうか判別したが、ＲＳＳＩレベルの高いチャネルからいくつか選択して判別し、電波障害環境が異なるかどうか判断しても良い。
【００３７】
【発明の効果】
本発明によれば、移動電話機は、パソコン使用環境下、または、ＲＦタグや非接触ＩＣカード等の利用環境下などの電波障害環境にあっても、障害の及ぼす可能性のあるチャネルを、障害履歴から推定し、その障害の及ぼす可能性のあるチャネルを、通信の開設のために用いるチャネルから予め省くことにより、待ち受けチャネル決定までの時間を短縮することができる。
【図面の簡単な説明】
【図１】本発明に係る移動局の実施例の構成図である。
【図２】障害チャネルテーブルの作成手順を示すフローチャートである。
【図３】ある電波障害環境下での各チャネルでの雑音の受信レベル（ＲＳＳＩ）を示す図である。
【図４】障害チャネルテーブルの例を示す図である。
【図５】障害チャネルテーブルを用いて通信の開設処理の短縮化を図る手順の実施例を示すフォローチャートである。
【図６】障害チャネルテーブルを用いて通信の開設処理の短縮化を図る手順の他の実施例を示すフローチャートである。
【図７】従来例の移動局の構成図である。
【図８】他の従来例の移動局の構成図である。
【符号の説明】
１０１…止まり木チャネルスキャン制御部、１０２…待ち受けチャネル選択制御部、１０３…待ち受け状態制御部、１０４…音声通信制御部、１０５…パケット通信制御部、１０６…障害チャネル判断部、１０７…障害チャネルテーブル作成部、１０８…止まり木チャネル格納部、１０９…ＲＳＳＩレベル順止まり木チャネルテーブル、１１０…障害チャネルテーブル、１１１…ＲＳＳＩ測定部、８０１…統計情報制御部、８０２…使用頻度統計情報格納部。
【図１】
2004187079.tif 000003
【図２】
2004187079.tif 000004
【図３】
2004187079.tif 000005
【図４】
2004187079.tif 000006
【図５】
2004187079.tif 000007
【図６】
2004187079.tif 000008
【図７】
2004187079.tif 000009
【図８】
2004187079.tif 000010